(57)【要約】【課題】迅速に起動することの可能なカメラを提供する。【解決手段】加速度センサ２１７が加速度を検出し、割り込み信号発生すると（Ｓ６１）、所定時間内にレンズ鏡筒１００に設けれられ他フォーカスリング１１４、ズームリング１１２、沈胴領域から撮影域への移動がなされたか否かを判定し（Ｓ６７〜Ｓ７１）、これらの操作が行われた場合に、カメラを動作状態にしている。このため、迅速に起動することの可能なカメラを提供することができる。【選択図】  図３
2012182700.tif 000002
【特許請求の範囲】
【請求項１】
低消費電流モードから割り込み信号により解除され動作状態になるカメラにおいて、
操作部材と、
上記操作部材の操作に応じてレンズ操作信号を出力するレンズ操作検出手段と、
加速度を検出し、割り込み信号発生するための加速度センサと、
上記加速度センサからの割り込み信号を検出後、所定時間内に上記操作部材の操作が行われた場合に、上記カメラを動作状態にする制御手段と、
を具備することを特徴とするカメラ。
【請求項２】
上記操作は、レンズを沈胴位置から撮影可能な位置への操作、焦点距離を変倍する操作、合焦操作の何れかであることを特徴とする請求項１に記載のカメラ。
【請求項３】
上記操作部材は、レンズ鏡筒に設けられていることを特徴とする請求項２に記載のカメラ。
【請求項４】
上記レンズ鏡筒は、カメラ本体から取り外し可能であることを特徴とする請求項３に記載のカメラ。
【請求項５】
低消費電流モードから割り込み信号により解除されて動作状態になるカメラにおいて、
操作部材を備えた鏡筒と、
上記操作部材の操作を検出して割り込み信号を発生する操作信号発生手段と、
上記カメラにかかる加速度を検出する加速度センサと、
上記操作信号発生手段からの割り込み信号を検出後、上記加速度センサの信号を検出した場合に、上記カメラを動作状態にする制御手段と、
を具備したことを特徴とするカメラ。
【請求項６】
上記操作部材は、レンズを沈胴位置から撮影可能な位置への操作、焦点距離を変倍する操作、合焦操作の何れかであることを特徴とする請求項５に記載のカメラ。
【発明の詳細な説明】
【技術分野】
【０００１】
本発明は、カメラの動きを検知して起動するカメラに関する。
【背景技術】
【０００２】
カメラは、通常、電池を装填すると、低消費電流モードで動作を開始するが、この状態では、パワースイッチの操作のみ受け付けるだけで、他の操作部材の操作に対しては動作を行うことがない。パワースイッチをオンとすると、通常動作に入る。しかし、通常動作では消費電流が増加し、電源電池が消耗してしまうため、電源浪費を防止するため、撮影者は、撮影直前にパワースイッチをオン状態にすることが多い。
【０００３】
しかし、シャッタチャンスは突然、現われることも多い。そこで、カメラの動作に応じて、パワーオフ状態からパワーオン状態に切換えることのできるカメラが種々提案されている。例えば、特許文献１には、レンズカバーを外すと、カメラ起動に必要なプログラムがＲＯＭからＲＡＭに転送され、その後、電源釦を操作することにより、カメラは起動する。
【先行技術文献】
【特許文献】
【０００４】
【特許文献１】特開２００５−２８６９０２号公報
【発明の概要】
【発明が解決しようとする課題】
【０００５】
特許文献１に開示のカメラにおいては、レンズカバーを外すことにより、電源オンの準備に入り便利である。しかし、カメラを持って電源釦を操作しカメラを構える場合には、カメラを持ちかえなければならない。逆の手順でカメラを構える場合にも同様である。このように、カメラをもちかえ、その上、レンズカバーを外す操作は面倒である。また、近年、取り外し可能なレンズカバーを有さないカメラも増えており、このようなカメラでは特許文献１に開示のカメラのように、迅速にカメラを起動することができない。
【０００６】
本発明は、このような事情を鑑みてなされたものであり、迅速に起動し動作状態となることの可能なカメラを提供することを目的とする。
【課題を解決するための手段】
【０００７】
上記目的を達成するため第１の発明に係わるカメラは、低消費電流モードから割り込み信号により解除され動作状態になるカメラにおいて、操作部材と、上記操作部材の操作に応じてレンズ操作信号を出力するレンズ操作検出手段と、加速度を検出し、割り込み信号発生するための加速度センサと、上記加速度センサからの割り込み信号を検出後、所定時間内に上記操作部材の操作が行われた場合に、上記カメラを動作状態にする制御手段と、を具備する。
【０００８】
第２の発明に係わるカメラは、上記第１の発明において、上記操作は、レンズを沈胴位置から撮影可能な位置への操作、焦点距離を変倍する操作、合焦操作の何れかである。
第３の発明に係わるカメラは、上記第２の発明において、上記操作部材は、レンズ鏡筒に設けられている。
第４の発明に係わるカメラは、上記第３の発明において、上記レンズ鏡筒は、カメラ本体から取り外し可能である。
【０００９】
第５の発明に係わるカメラは、低消費電流モードから割り込み信号により解除されて動作状態になるカメラにおいて、操作部材を備えた鏡筒と、上記操作部材の操作を検出して割り込み信号を発生する操作信号発生手段と、上記カメラにかかる加速度を検出する加速度センサと、上記操作信号発生手段からの割り込み信号を検出後、上記加速度センサの信号を検出した場合に、上記カメラを動作状態にする制御手段と、を具備する。
【００１０】
第６の発明に係わるカメラは、上記第５の発明において、上記操作部材は、レンズを沈胴位置から撮影可能な位置への操作、焦点距離を変倍する操作、合焦操作の何れかである。
【発明の効果】
【００１１】
本発明によれば、操作部材への操作および加速度を検知してカメラを動作状態にすることから、迅速に起動し動作状態となることの可能なカメラを提供することができる。
【図面の簡単な説明】
【００１２】
【図１】本発明の第１実施形態におけるカメラの電気系を主とする全体構成を示すブロック図である。
【図２】本発明の第１実施形態に係わるカメラのメインフローを示すフローチャートである。
【図３】本発明の第１実施形態に係わるカメラの操作検出の動作を示すフローチャートである。
【図４】本発明の第２実施形態に係わるカメラのメインフローを示すフローチャートである。
【図５】本発明の第２実施形態に係わるカメラの交換レンズ側メインフローを示すフローチャートである。
【発明を実施するための形態】
【００１３】
以下、図面に従って本発明を適用したカメラを用いて好ましい実施形態について説明する。本発明の好ましい一実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。また、本実施形態に係わるカメラのレンズ鏡筒には、フォーカスリングやズームリング等の操作部材を有し、この操作部材の操作状態およびカメラに加えられた動きに応じて、カメラの起動を行うことができる。
【００１４】
図１は、本発明の第１実施形態に係るカメラの電気系を主とする全体構成を示すブロック図である。本実施形態に係わるカメラは、デジタルカメラであり、レンズ鏡筒１００とカメラ本体２００が別体で構成され、レンズ鏡筒１００はカメラ本体２００の前面のマウント開口部（不図示）に着脱自在となっている。このマウント開口部を介してレンズ鏡筒１００内の撮影レンズ１０１ａ、１０１ｂ（撮影レンズ１０１ａ、１０１ｂを撮影光学系１０１と総称する）によって形成される被写体光束がカメラ本体２００内に導かれる。
【００１５】
レンズ鏡筒１００をカメラ本体２００に装着すると、通信接点３００にて電気的に接続される。また、カメラ本体２００内であって、マウント開口部の近傍には、着脱検知スイッチ２５９が設けられており、レンズ鏡筒１００とカメラ本体２００の装着状態を検知することができる。
【００１６】
レンズ鏡筒１００の内部には、焦点調節および焦点距離調節用の撮影光学系１０１と、開口量を調節するための絞り１０３が配置されている。撮影光学系は光学系駆動機構１０７によって駆動され、絞り１０３は絞り駆動機構１０９によって駆動される。光学駆動機構１０７によって駆動される撮影光学系１０１の位置は、光学位置検出機構１０５によって検出され、撮影光学系１０１の焦点調節レンズ位置（ピント位置）や焦点距離（ズーム位置）を検出することができる。
【００１７】
また、レンズ鏡筒１００の周囲には、回動自在なフォーカスリング１１３およびズームリング１１２が設けられている。フォーカスリング１１３は、マニュアルフォーカスモードの際に、手動によるピント合わせを行うための操作部材であり、フォーカスリング１１３に回動に応じてフォトインタラプタ信号が発生する。フォーカスリング１１３の回動方向（操作方向）および回動量（操作量）はフォトインタラプタ（ＰＩ）１１４によって検出される。
【００１８】
ズームリング１１２は、焦点距離を手動調節するための操作部材である。ズームリング１１２の回動に応じてズームエンコーダ信号が発生する。ズームリング１１２の回動位置はエンコーダ１１０によって検出されるので、ズームエンコーダの値を検出することにより焦点距離がわかる。
【００１９】
また、本実施形態におけるレンズ鏡筒１００は、沈胴形式であり、ズームリング１１２を回動することにより、沈胴領域と撮影域の切換えを行うことができる。すなわち、撮影しないときには、ズームリング１１２を手動で回動することにより、撮影光学系１０１を沈胴領域に移動させ、レンズ鏡筒１００の突出量を小さくすることができる。また、撮影する際に、ズームリング１１２を手動で回動することにより、沈胴領域から撮影域に移動させることができる。なお、沈胴領域と撮影域との間は、手動で移動させる以外にも、カメラが動作状態であれば、操作釦や操作部材の操作を検出して光学系駆動機構１０７によって電動で移動させることも可能である。ズームエンコーダの値に基づいて、撮影光学系１０１が沈胴領域にあるか撮影域にあるかも検出可能である。
【００２０】
光学位置検出機構１０５、光学系駆動機構１０７、絞り駆動機構１０９、エンコーダ１１０、およびフォトインタラプタ１１４は、それぞれレンズＣＰＵ１１１に接続されており、このレンズＣＰＵ１１１は通信接点３００を介してカメラ本体２００に接続されている。レンズＣＰＵ１１１はレンズ鏡筒１００内の制御を行うものであり、光学系駆動機構１０７を制御してピント合わせや、ズーム駆動や、沈胴領域と撮影域間の駆動や、位置検出を行うとともに、絞り駆動機構１０９を制御して絞り値制御を行う。
【００２１】
また、レンズＣＰＵ１１１は、光学位置検出機構１０５によって検出された、焦点調節レンズ位置（ピント位置）や焦点距離に関するレンズ情報をカメラ本体２００に送信する。また、レンズＣＰＵ１１１内または図示しないレンズ鏡筒１００内に設けられた電気的書き換え可能な不揮発性メモリには、レンズ鏡筒１００の焦点距離情報（ズームレンズの場合には、最短焦点距離および最長焦点距離）、開放絞り値、最小絞り値、撮影可能距離範囲（最至近距離を含む）、レンズの種類等のレンズ情報が記憶されている。また、絞りの絞り状態（開放絞り状態か絞り込状態か）、フォーカスリング１１３の操作状態（操作方向、操作量）や、ズームリング１１０の操作状態（ズームエンコーダ信号）等のレンズ鏡筒１００の状態に関する情報もレンズ情報である。これらのレンズ情報は、レンズＣＰＵ１１１より通信接点３００を介してカメラ本体２００に送信される。また、不揮発性メモリには、レンズ鏡筒１００の動作を制御するためのプログラムも記憶されている。
【００２２】
また、レンズＣＰＵ１１１は、カメラが低消費電力モード（スリープモードともいう）の際に、フォーカスリング１１３、ズームリング１１２が操作された場合には、すなわち、ズームエンコーダ１１０の値が変化した場合、またはフォトインタラプタ信号が発生した場合には、割り込み信号を発生し、後述する通信回路２４１に出力する。
【００２３】
さらに、レンズＣＰＵ１１１は、絞り駆動機構１０９による絞り１０３の絞り込み完了や絞り開放完了、光学系駆動機構１０７によるレンズ駆動完了の情報も、カメラ本体２００に送信する。
【００２４】
カメラ本体２００内であって、撮影光学系１０１の光軸上であって、撮影光路上には、露光時間制御および撮像素子２２１の遮光用のフォーカルプレーンタイプのシャッタ２０３が配置されている。このシャッタ２０３は、シャッタ駆動機構２１３によって駆動制御される。
【００２５】
シャッタ２０３の後方には、撮像素子ユニット２９０が配置されている。撮像素子ユニット２９０は、防塵フィルタ２０５、赤外カットフィルタ２０９、光学的ローパスフィルタ２１０、撮像素子２２１を一体に構成したユニットであり、密封されたパッケージに一体に収納されており、塵埃がパッケージ内に侵入しないように構成されている。そして、撮像素子ユニット２９０は、ブレ補正機構２６０によって撮影光学系１０１の光軸と垂直なＸＹ平面内で２次元的に変位される。
【００２６】
ブレ補正機構２６０は、駆動源として圧電素子駆動モータ等からなるアクチュエータを備えており、撮像素子ユニット２９０を撮影光学系１０１の光軸と垂直なＸＹ平面内で２次元的に変位する。カメラ本体２００内には、ジャイロを利用した角速度センサ２９７ａが配置されており、角速度センサ２９７ａの出力は角速度検出回路２９７ｂに接続されている。角速度センサ２９７ａは、カメラ本体２００に生じたブレに応じたブレ信号を出力し、角度側検出回路２９７ｂはブレ信号を増幅し、ＡＤ変換する。
【００２７】
角速度センサ２９７ａと角速度検出回路２９７ｂによってブレ検出手段２９７が構成され、角速度検出回路２９７ｂの出力は、シーケンスコントローラ（以下、「ボディＣＰＵ」と称する）２２９に接続されている。ボディＣＰＵ２２９は、ブレ検出手段２９７によって検出されたブレ信号に基づいて、カメラ本体２００のブレを打ち消すようなブレ制御信号を出力し、アクチュエータ駆動回路２９６はブレ補正駆動機構２６０内のアクチュエータに対して駆動信号を出力する。これによって、撮像素子２２１を撮影光学系１０１の光軸と垂直な方向に移動させ、カメラ本体２００に加えられたブレを打ち消し、画像の劣化を防止する撮像素子シフト方式の手振れ補正動作を実行する。
【００２８】
シャッタ２０３の後方には、撮像素子ユニット２９０を構成する防塵フィルタ２０５が配置されている。防塵フィルタ２０５は、カメラ本体２００のマウント開口部や本体内部で発生した塵埃が撮像素子２２１や光学素子に付着し、塵埃の影が被写体像に写し込まれ、見苦しい画像となることを防止する。
【００２９】
防塵フィルタ２０５の周縁部の全周または一部に、圧電素子２０７が固着されている。圧電素子２０７は防塵フィルタ駆動回路２１１に接続されている。圧電素子２０７は、防塵フィルタ駆動回路２１１の駆動信号に基づいて、防塵フィルタ２０５を所定周波数の超音波で振動させる。防塵フィルタ２０５が超音波で振動することにより、防塵フィルタ２０５の前面に付着した塵埃は除去される。
【００３０】
防塵フィルタ２０５の後方には、被写体光束から赤外光成分をカットするための赤外カットフィルタ２０９が配置され、その後方には被写体光束から高周波成分を取り除くための光学的ローパスフィルタ２１０が配置されている。そして、光学的ローパスフィルタ２１０の後方には、撮像素子２２１が配置されており、撮影光学系１０１によって結像された被写体像をアナログ画像信号に光電変換する。本実施形態においては、撮像素子２１１としては、ＣＣＤ（Charge Coupled Device）やＣＭＯＳ（Complementary Metal Oxide Semiconductor）等の二次元固体撮像素子を使用できることはいうまでもない。
【００３１】
撮像素子２２１は撮像素子駆動回路２２３に接続され、撮像素子駆動回路２２３は入出力回路２３９からの制御信号によって駆動制御される。撮像素子駆動回路２２３は、撮像素子２２１からアナログ画像信号を読み出し、この信号を増幅し、アナログデジタル変換（ＡＤ変換）等を行う。撮像素子駆動回路２２３の出力は、前処理回路２２５に接続されており、前処理回路２２５は、ライブビュー表示のための画素間間引処理等、種々の前処理を行う。
【００３２】
前処理回路２２５の出力は、コントラストＡＦ回路２２６に接続され、コントラストＡＦ回路２２６は前処理回路２２５から出力される画像信号の高周波成分（コントラスト信号）の抽出を行う。コントラスト信号を抽出する画像の範囲は、シーケンスコントローラより指示を受け、ＡＦターゲット、撮影画面全体、または拡大表示領域等の領域について抽出を行う。抽出したコントラスト信号はボディＣＰＵ２２９に出力する。
【００３３】
前処理回路２２５の出力はＡＳＩＣ（Application Specific Integrated Circuit  特定用途向け集積回路）２６２内のデータバス２６１に接続される。このデータバス２６１には、画像処理回路２２７、ボディＣＰＵ２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３が接続されている。なお、前述のコントラストＡＦ回路２２６は、本実施形態においては、ＡＳＩＣ２６２の外側に配置したが、ＡＳＩＣ２６２内に配置するようにしても勿論かまわない。
【００３４】
データバス２６１に接続された画像処理回路２２７は、前処理回路２２５から出力されたデジタル画像データのデジタル的増幅（デジタルゲイン調整処理）、色補正、ガンマ（γ）補正、コントラスト補正、白黒・カラーモード処理、ライブビュー表示用処理といった各種の画像処理を行う。
【００３５】
データバス２６１に接続されているボディＣＰＵ２２９は、フラッシュメモリ２４９に記憶されているプログラムに従って、このデジタルカメラの動作を制御する。また、ボディＣＰＵ２２９は、前述したように、コントラストＡＦ回路２２６からコントラスト信号を入力し、レンズＣＰＵ１１１を介して撮影光学系１０１からなる撮影光学系の自動焦点調節の制御を行う。
【００３６】
また、データバス２６１に接続されている圧縮伸張回路２３１は、ＳＤＲＡＭ２３８に記憶された画像データをＪＰＥＧやＴＩＦＦで圧縮する。なお、画像圧縮はＪＰＥＧやＴＩＦＦに限らず、他の圧縮方法も適用できる。
【００３７】
データバス２６１に接続されているビデオ信号出力回路２３３は、液晶モニタ駆動回路２３５を介して背面液晶モニタ２６とファインダ内液晶モニタ（図中Ｆ内液晶モニタと略記）２９に接続される。ビデオ信号出力回路２３３は、ＳＤＲＡＭ２３８または記録媒体２４５に記憶された画像データを、背面液晶モニタ２６および／またはファインダ内液晶モニタ２９に表示するためのビデオ信号に変換する。
【００３８】
背面液晶モニタ２６は、カメラ本体２００の背面に配置されるが、撮影者が観察できる位置であれば、背面に限らないし、また液晶モニタに限らず有機ＥＬ等、他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察用として液晶モニタ２６のみとし、ファインダ接眼部およびファインダ内液晶２９を省略することも可能である。
【００３９】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００４０】
入出力回路２３９は、上述の防塵フィルタ駆動回路２１１、シャッタ駆動機構２１３、撮像素子駆動回路２２３に接続され、データバス２６１を介してボディＣＰＵ２２９等の各回路とデータの入出力を制御する。また、入出力回路２３９には加速度センサ２１７が接続されている。加速度センサ２１７は、カメラ本体２００に加えられた加速度に応じた加速度信号や割り込み信号を出力する。なお、角速度センサ２９７の出力を兼用してもよい。
【００４１】
通信回路２４１は、通信接点３００を介してレンズＣＰＵ１１１と接続され、またデータバス２６１とも接続されている。通信回路２４１は、レンズＣＰＵ１１１とボディＣＰＵ等の間のデータのやりとりや制御命令の通信を行う。
【００４２】
データバス２６１に接続された記録媒体制御回路２４３は、記憶媒体２４５に接続され、記録媒体２４５への画像データ等の記録と再生の制御を行う。記録媒体２４５は、コンパクトフラッシュ（登録商標）、ＳＤメモリカード（登録商標）、またはメモリスティック（登録商標）等の書き換え可能な記録媒体のいずれかが装填可能となるように構成され、カメラ本体２００に対して着脱自在となっている。その他、マイクロドライブ（登録商標）などのハードディスクユニットや無線通信ユニットを接続可能に構成してもよい。
【００４３】
データバス２６１に接続されているフラッシュメモリ制御回路２４７は、フラッシュメモリ（Flash Memory）２４９に接続され、このフラッシュメモリ２４９は、電気的に書き換え可能な不揮発性メモリであり、カメラの動作を制御するためのプログラムや、制御用の調整値等を記憶する。ボディＣＰＵ２２９は、フラッシュメモリ２４９に記憶されたプログラムや調整値等に従ってカメラの制御を行う。
【００４４】
データバス２６１に接続されているスイッチ検知回路２５３は、パワースイッチ２５７、その他の各種スイッチ２５５、および前述の着脱検知スイッチ２５９に接続する。パワースイッチ２５７は、カメラ本体２００やレンズ鏡筒１００のパワー供給を制御するためのパワースイッチレバーに連動してオン・オフする。またその他の各種スイッチ２５５は、レリーズ釦に連動するスイッチ、再生モードを指示する再生釦に連動する再生スイッチ、背面液晶モニタ２６に設定メニューを表示させるためのメニュースイッチ、背面液晶モニタ２６の画面上に表示されるカーソルの動きの指示等を行うための十字釦に連動するスイッチ、選択された各モード等を決定するＯＫボタンに連動するスイッチ撮影モードを指示するモードダイヤルに連動するスイッチ等がある。
【００４５】
なお、レリーズ釦は、撮影者が半押しするとオンする第１レリーズスイッチと、全押しするとオンする第２レリーズスイッチを有している。第１レリーズスイッチ（以下、１Ｒと称する）のオンにより、カメラは焦点検出、撮影レンズのピント合わせ、被写体輝度の測光等の撮影準備動作を行い、第２レリーズスイッチ（以下、２Ｒと称する）のオンにより、撮像素子２２１の出力に基づいて、被写体像の画像データの取り込みを行う撮影動作を実行する。
【００４６】
次に、本実施形態における動作について、図２および図３を用いて説明する。これらのフローチャートは、ＣＰＵ２２９がフラッシュメモリ２４９に記憶されているプログラムに従って実行する。図２は、カメラ本体２００側のボディＣＰＵ２２９によるパワーオンリセット後の動作を示すメインフローである。
【００４７】
カメラ本体２００にバッテリが装填され、または外部電源が接続されると、このフローがスタートする。まずカメラ本体２００のパワースイッチ２５７がオンであるか否かを判定する（Ｓ１）。判定の結果、パワースイッチ２５７がオフの場合には、低消費電力の状態であるスリープモードに入る（Ｓ３）。スリープモードでは、ＣＰＵ２２９は低消費電流で駆動され、パワースイッチ２５７以外の操作部材の動作は検出しない。また、スリープモードでは、加速度センサ２１７、入力出力回路２３９、スイッチ検知回路２５３等の回路以外には電源は供給されない。
【００４８】
スリープモードは、パワースイッチ２５７のオフからオンの操作、および加速度センサ２１７からの割り込み信号によって解除される。前述したようにスリープモードの際には、パワースイッチ２５７とスイッチ検知回路２５３には電源が供給されており、パワースイッチ２５７がオンからオフに操作されると割り込み処理が実行されスリープモードが解除される。また、加速度センサ２１７と入出力回路２３９にも電源が供給されている。このため、カメラ本体２００を撮影者が構える等によって動きが加えられると、加速度センサ２１７から割り込み信号が出力され、割り込み処理が実行され、スリープモードが解除される。
【００４９】
ステップＳ１における判定の結果、パワースイッチ２５７がオンであった場合、またはステップＳ３におけるスリープモードが解除された場合には、電源供給を開始する（Ｓ１１）。これにより、カメラ本体２００およびレンズ鏡筒１００内の各機構や各回路等に電源が供給される。
【００５０】
ステップＳ１１において、電源供給が開始されると、次に、レンズ鏡筒１００等における操作部材の操作状態の検出が行われる（Ｓ１３）。ここでは、ズームリング１１２が手動操作され、撮影光学系１０１が沈胴領域から撮影域に移動したか、またズーミング操作されたか、またフォーカスリング１１３が操作されたか等について判定し、またパワースイッチ２５７が操作されたかを判定する。この判定の結果、いずれの操作部材も操作されていなかった場合には、後述するステップＳ３５に進み、電源供給を停止した後に、スリープモードに再び入る。一方、これらの操作部材が操作されていた場合には、次のステップＳ１５に進む。この操作検出の詳細な処理について、図３を用いて後述する。
【００５１】
操作検出を実行すると次に、レンズ情報の取得を行う（Ｓ１５）。このステップでは、レンズＣＰＵ１１１から通信回路２４１を介して、光学位置検出機構１０５によって検出した撮影光学系１０１の焦点位置情報や焦点距離情報を取得し、また、至近側焦点距離・長焦点側焦点距離、開放絞り値、焦点距離毎の露出補正値の種々のレンズ鏡筒１００の固有情報等のレンズ情報を取得する。
【００５２】
レンズ情報を取得すると、次に動作モードやパラメータ設定を行う（Ｓ１７）。このステップでは、図示しないモードダイヤル等によって設定された撮影モードや、ＩＳＯ感度、マニュアル設定されたシャッタ速度や絞り値等の情報があればそれらの撮影条件の読み込みを行う。
【００５３】
続いて、ライブビュー動作を開始する（Ｓ１９）。ここでは、撮像素子２２１からの画像信号に基づいて、被写体像の観察用に、背面液晶モニタ２６に被写体像を動画表示する。ライブビュー動作を開始すると、次に、測光・露光量の演算を行う（Ｓ２１）。このステップでは、撮像素子２２１の出力に基づいて被写体輝度を求め、この被写体輝度を用いて撮影モード・撮影条件に従って適正露光となるシャッタ速度や絞り値等の露光制御値の演算を行う。
【００５４】
測光・露光量の演算を行うと、次に、ライブビュー動作を行う（Ｓ２３）。後述するように、ステップＳ３３において、パワースイッチがオンであった場合には、ステップＳ２１に戻り、この処理ループ中において、このステップＳ２１にて撮像素子２２１の撮像動作・画像処理を行った後に背面液晶モニタ２６の表示が更新されて動画表示によりライブビュー表示を行う。
【００５５】
ライブビュー動作を行うと、次に、再生スイッチがオンか否かの判定を行う（Ｓ２５）。ここでは、再生釦に連動する再生スイッチがオンか否かの判定を行う。この判定の結果、再生スイッチがオンであった場合には、再生動作を行う（Ｓ４１）。この再生動作は、記録媒体２４５に記録されている撮影画像を背面液晶モニタ２６に再生表示する。
【００５６】
再生動作を行うと、またはステップＳ２５における判定の結果、再生スイッチがオンでなかった場合には、次に、メニュースイッチがオンか否かの判定を行う（Ｓ２７）。ここでは、メニュー釦に連動するメニュースイッチがオンか否かの判定を行う。
【００５７】
ステップＳ２７における判定の結果、メニュースイッチがオンであった場合には、メニュー設定動作を行う（Ｓ４３）。このメニュー設定動作では、背面液晶モニタ２６にメニュー画面が表示され、ＩＳＯ感度、ホワイトバランス、マニュアルフォーカス（ＭＦ）モード、オートフォーカス（ＡＦ）モード、防振モード等、種々の設定用の画面上で、十字釦やＯＫ釦を操作することにより、撮影者が種々のモードやパラメータの設定を行う。メニュー設定されたモードを実行する。たとえば、防振モードが設定された場合には、ライブビュー動作中、及び撮影動作時に防振動作が実行される。
【００５８】
メニュー設定動作を行うと、またはステップＳ２９における判定の結果、メニュースイッチがオンでなかった場合には、次に、１Ｒスイッチがオンか否かの判定を行う（Ｓ２９）。ここでは、レリーズ釦の半押し動作でオンとなる１Ｒスイッチがオンとなかったか否かの判定を行う。
【００５９】
ステップＳ２９における判定の結果、１Ｒスイッチがオンであった場合には、撮影動作を行う（Ｓ４５）。ここでは、ＡＦモードの場合にはコントラストＡＦによって撮影光学系１０１のピント合わせを行い、測光・露出演算により適正露光となる露出制御値の演算を行う。また、レリーズ釦の全押し動作でオンとなる２Ｒスイッチがオンとなると、露出動作を行い、静止画の画像データを記録媒体２４５に記録する。
【００６０】
撮影動作が終わると、またはステップＳ２９における判定の結果、１Ｒスイッチがオンでなかった場合には、次に、レンズ取り外しか否かの判定を行う（Ｓ３１）。ここでは、着脱検知スイッチ２５９によってレンズ鏡筒１００がカメラ本体２００から取り外されたか否かを判定する。この判定の結果、レンズ鏡筒１００が取り外されていた場合には、ライブビュー動作の停止を行い（Ｓ４７）、電源供給の停止を行う（Ｓ４９）。レンズ鏡筒１００が取り外され、撮像素子２２１上に被写体像が形成されないことから、ライブビュー表示を停止し、電源浪費を防止するために電源供給を停止する。
【００６１】
続いて、レンズ鏡筒１００が装着されたか否かの判定を行う（Ｓ５１）。ここでは、取り外されたレンズ鏡筒１００が再び装着されたか否かの判定を行う。なお、この判定は着脱検知スイッチ２５９のオンによって割り込み処理によって検知される。この判定によって、レンズ装着が検知されると、ステップＳ１１に戻り、前述の動作を実行する。
【００６２】
ステップＳ３１における判定の結果、レンズが取り外されていなかった場合には、次に、パワースイッチ２５７がオンか否かの判定を行う（Ｓ３３）。本実施形態においては、パワースイッチ２５７がオンとなると、パワーオンモードとなり、カメラは動作状態となる。その後、パワースイッチ２５７がオフとなると、パワーオフモードとなり、カメラは非動作状態となる。
【００６３】
ステップＳ３３における判定の結果、パワースイッチ２５７がオンであった場合には、パワーオンモードであることから、ステップＳ２１に戻り、前述の動作を実行する。すなわち、電源がオンの状態では、ステップＳ２１〜Ｓ３１を繰り返し実行する。一方、ステップＳ３３における判定の結果、パワースイッチ２５７がオンでなかった場合には、パワーオフモードとなり、電源供給を停止する（Ｓ３５）。電源供給を停止すると、ステップＳ３に戻り、前述のスリープモードとなる。
【００６４】
次に、ステップＳ１３における操作検出の詳しい動作を図３のフローチャートを用いて説明する。操作検出のフローに入ると、まず、加速度センサの割り込みか否かを判定する（Ｓ６１）。前述したように、ステップＳ３におけるスリープモードを脱するのは、カメラ本体２００が動かされ、このとき加速度センサ２１７から入出力回路２３９に割り込み信号が出力された場合と、パワースイッチ２５７が操作された場合がある。このステップＳ６１では、加速度センサ２１７からの割り込み信号によってスリープモードが解除されたか否かを判定する。
【００６５】
ステップＳ６１における判定の結果、加速度センサ２１７からの割り込みであった場合には、次に、タイマ動作を開始する（Ｓ６３）。ここでは、ＡＳＩＣ２６２内の図示しないタイマによって計時動作を開始する。ここでの計時時間としては、１秒〜１分程度が望ましい。計時時間が短ければ短い程、無駄な消費電流を少なくすることができるが、反応が遅くなり、使い勝手が悪いことになる。ユーザがメニュー画面でこの時間を設定するようにしても良い。
【００６６】
タイマ動作を開始すると、次にレンズ情報を取得する（Ｓ６５）。レンズ情報は、通信回路２４１を介して、レンズＣＰＵ１１１より取得する。レンズ情報を取得すると、次に、沈胴領域から撮影域に移動したか否かを判定する（Ｓ６７）。ここでは、エンコーダ１１０からのズームエンコーダの値に基づいて、撮影光学系１０１が沈胴領域から撮影域に移動したか否かを判定する。スリープモードで撮影者が撮影を行う場合には、ズームリング１１２を手動操作し、沈胴状態から撮影状態するので、このステップではこの操作を行ったか否かを判定している。
【００６７】
ステップＳ６７における判定の結果、沈胴領域から撮影域に移動していないと判定された場合には、次に、ズームリング１１２が操作中か否かの判定を行う（Ｓ６９）。ここでは、エンコーダ１１０からのズームエンコーダ信号に基づいて、ズームリング１１２が操作されているか否かを判定する。ズームリング１１２が回動操作されている場合には、時間と共にズームエンコーダ信号が変化することから、ズームエンコーダ信号に基づいて判定可能である。
【００６８】
ステップＳ６９において、ズームリング１１２が操作中でないと判定された場合には、次に、フォーカスリング１１３が操作中か否かの判定を行う（Ｓ７１）。ここでは、フォトインタラプタ１１４からのフォトインタラプタ信号に基づいて判定する。フォーカスリング１１３が回動操作されている場合には、時間と共にフォトインタラプタ信号が変化することから、フォトインタラプタ信号に基づいて判定可能である。
【００６９】
ステップＳ７１における判定の結果、フォーカスリング１１３が操作中でないと判定された場合には、次に、タイマ計時が完了したか否かを判定する（Ｓ７３）。ステップＳ６３において計時動作を開始しており、タイマが予め設定された時間の計時動作を終了したか否かを判定する。
【００７０】
ステップＳ７３における判定の結果、計時動作が完了していなかった場合には、ステップＳ６５に戻り、再度、レンズ情報を取得し、前述の判定を行う。一方、判定の結果、計時動作が完了した場合には、ステップＳ３５に進み、電源供給を停止し、再びスリープモードに入る。
【００７１】
ステップＳ１３の操作検出のフローを実行する場合は、カメラに動きがあったことから、スリープモードが解除されて電源供給を開始したが、レンズ鏡筒１００の操作部材が操作されていない状態である。単に、カメラが動いただけであり、撮影者がレンズ鏡筒１００を保持して、撮影する場合ではないことから、スリープモードに戻るようにしている。
【００７２】
ステップＳ６１における判定の結果、加速度センサによる割り込みでなかった場合には、次に、パワースイッチ２５７がオンであるか否かを判定する（Ｓ７５）。パワースイッチ２５７のオンにより、スリープモードが解除されたか否かを判定する。
【００７３】
ステップＳ７５における判定の結果、パワースイッチ２５７がオンでなかった場合には、ステップＳ７３におけるタイマ計時完了の場合と同様に、ステップＳ３５に進み、電源供給を停止し、スリープモードに入る。カメラの誤動作によりスリープモードを脱した場合であることから、カメラを通常動作に移行せずに、スリープモードに戻る。
【００７４】
一方、ステップＳ７５における判定の結果、パワースイッチ３５７がオンであった場合、または、ステップＳ６７における判定の結果、沈胴領域から撮影域に移動した場合、またはステップＳ６９における判定の結果、ズームリング１１２が操作中であった場合、またはステップＳ７１における判定の結果、フォーカスリング１１３が操作中であった場合には、操作検出のフローを終了し、元のフローに戻り、カメラ動作を続行する。
【００７５】
以上、説明したように、本発明の第１実施形態においては、加速度センサ２１７が加速度を検出し、割り込み信号発生すると（Ｓ６１）、所定時間内にフォーカスリング１１４、ズームリング１１２、沈胴領域から撮影域への移動がなされたか否かを判定し（Ｓ６７〜Ｓ７１）、これらの操作が行われた場合に、カメラを動作状態にしている。このため、迅速に起動することの可能なカメラを提供することができる。従来のカメラでは、動作状態にするためにはパワースイッチをオンにする必要があったが、本実施形態においては、カメラで撮影するために構える等の動作を行うと、加速度センサ２１７から割り込み信号が発生し、さらにレンズ鏡筒の操作部材を操作することにより、カメラが動作状態になる。パワースイッチのオンと同様に動作状態にすることができる。
【００７６】
次に、本発明の第２実施形態について、図４および図５を用いて説明する。第１実施形態においては、先にカメラの動きを検出し、カメラが動いた場合には続いてレンズ鏡筒に設けられているフォーカスリング１１４やズームリング１１２の操作状態を検出していた。これに対して第２実施形態においては、逆に、先にレンズ鏡筒の操作状態を検出し、操作された場合には、続いてカメラの動きを検出し、カメラを動作状態にしている。
【００７７】
第２実施形態における概略的な構成は、図１に示したブロック図と同様である。ただし、第２実施形態においては、レンズＣＰＵ１１１、エンコーダ１１１、フォトインタラプタ１１４、通信回路２４１等は、スリープモードにおいても、電源が供給される。フォーカスリング１１３またはズームリング１１２が操作された場合には、通信回路２４１に割り込み信号が送信される。なお、本実施形態においては、第１実施形態とは異なり、スリープモード中、加速度センサ２１７には電源が供給されない。
【００７８】
第２実施形態における動作は、図２に示したメインフローを図４に示すフローチャートに置き換えればよい。図２のフローチャートと同様の処理を行うステップについては、同一のステップ番号を付し、相違点を中心に説明する。図４に示すフローチャートは、ＣＰＵ２２９がフラッシュメモリ２４９に記憶されているプログラムに従って実行する。
【００７９】
カメラ本体２００にバッテリが装填され、または外部電源が接続されると、第１実施形態における図２のフローと同様にスタートする。まずカメラ本体２００のパワースイッチ２５７がオンであるか否かを判定する（Ｓ１）。判定の結果、パワースイッチ２５７がオフの場合には、低消費電力の状態であるスリープモードに入る（Ｓ３）。
【００８０】
スリープモードでは、第１実施形態と同様、ＣＰＵ２２９は低消費電流で駆動され、パワースイッチ２５７以外の操作部材の動作は検出しない。また、レンズＣＰＵ１１１等には、電源が供給され、フォーカスリング１１３、ズームリング１１２が操作されると、レンズＣＰＵ１１１は割り込み信号を通信回路２４３に出力する（図５に示すＳ１２３、Ｓ１３５参照）。スリープモードは、パワースイッチ２５７のオフからオン、およびレンズＣＰＵ１１１からの割り込み信号によって解除される。
【００８１】
ステップＳ１における判定の結果、パワースイッチ２５７がオンであった場合、またはステップＳ３におけるスリープモードが解除された場合には、加速度センサ２１７をオンする（Ｓ５）。ここでは、加速度センサ２１７に電源を供給し、カメラ本体２００に加えられた動きを検出する。
【００８２】
続いて、加速度センサ７の出力に変化が有るか否かを判定する（Ｓ７）。レンズ鏡筒１００のズームリング１１２等の操作部材が操作されることによりスリープモードが解除された場合に、さらにこのステップでカメラ本体２００を構えるために撮影者が持ち上げる等、カメラを動かした否かを判定する。
【００８３】
ステップＳ７における判定の結果、加速度センサ２１７の出力に変化がなかった場合には、所定時間が経過したか否かを判定する（Ｓ９）。ステップＳ５において、加速度センサ２１７に電源を供給した際に、タイマの計時動作を開始させておき、このタイマが所定時間を計時したか否かを判定する。所定時間としては、１秒〜１分程度が望ましい。ステップＳ６３における計時動作と同様、計時時間が短ければ短い程、無駄な消費電流を少なくすることができるが、反応が遅くなり、使い勝手が悪いことになる。ユーザがメニュー画面でこの時間を設定するようにしても良い。この判定の結果、所定時間が経過していない場合には、ステップＳ７に戻り、加速度センサ２１７の変化を待つ。
【００８４】
ステップＳ９における判定の結果、所定時間が経過すると、ステップＳ３に戻り、再び、スリープモードに入る。すなわち、ズームリング１１２等のレンズ鏡筒の操作部材が操作され、スリープモードを脱したが、その後、動きがないことから、撮影のための動作がないとして、再び、スリープモードに入る。
【００８５】
一方、ステップＳ７における判定の結果、加速度センサ２１７の出力に変化が有る場合には、次に、電源供給を開始する（Ｓ１１）。これにより、カメラ本体２００およびレンズ鏡筒１００内の各機構や各回路等に電源が供給され、通常のカメラ動作に移る。すなわち、ズームリング１１２等のレンズ鏡筒の操作部材が操作され、スリープモードを脱し、さらに撮影者が撮影のために構える等により、カメラ本体２００が動いたことを検知したことから、カメラ本体２００およびレンズ鏡筒１００に電源供給を開始し、通常のカメラ動作を実行可能とする。
【００８６】
ステップＳ１１において、電供供給を開始した後の動作は図２に示した第１実施形態と同様であることから、詳しい説明は省略する。
【００８７】
次に、レンズ鏡筒１００側の動作について図５に示すフローチャートを用いて説明する。図５に示すフローチャートは、レンズＣＰＵ１１１が図示しないフラッシュメモリ等の不揮発性メモリに記憶されているプログラムに従って実行する。この交換レンズメインフローは、交換レンズのパワーオンリセットすなわち、レンズ鏡筒１００をカメラ本体２００に装着し、カメラ本体２００側の内蔵電池または外部電源によって電源が供給されるとスタートする。
【００８８】
レンズ側のパワーオンリセットがスタートすると、まず、レンズ情報要求か否かの判定を行う（Ｓ１０１）。ステップＳ１５において、レンズ鏡筒１００の焦点距離情報や、焦点位置情報や、レンズ鏡筒１００の状態情報等の種々のレンズ情報が、ボディＣＰＵ２２９によって要求される。そこで、ステップＳ１０１において、これらのレンズ情報の要求があるか否かの判定を行う。
【００８９】
ステップＳ１０１における判定の結果、レンズ情報の要求が有った場合には、レンズ情報の送信を行う（Ｓ１１１）。ここでは、レンズＣＰＵ１１１は通信回路２４１を介して、ボディＣＰＵ２２９にレンズ情報を送信する。
【００９０】
ステップＳ１０１における判定の結果、レンズ情報要求がなかった場合には、次に、絞り込み実行の指示を受けているか否かの判定を行う（Ｓ１０３）。ボディＣＰＵ２２９は撮像素子２２１への露光に先だって絞り込み実行指示を行い、この場合には、絞り込み行う際の絞り値の情報も送信する。
【００９１】
ステップＳ１０３における判定の結果、絞り込み実行指示があった場合には、絞り込み動作の実行を行う（Ｓ１１３）。ここでは、レンズＣＰＵ１１１は絞り駆動機構１０９に対して、受信した絞り値まで絞り込み動作を実行させる。絞り込み動作が終わると、ボディＣＰＵ２２９に対して、絞り込み完了信号を送信する。
【００９２】
ステップＳ１０３における判定の結果、絞り込み実行指示を受けていなかった場合には、次に、絞り開放実行指示を受けているか否かの判定を行う（Ｓ１０５）。ボディＣＰＵ２２９は、撮像素子２２１への露光が終了すると、絞り開放実行指示を行う。
【００９３】
ステップＳ１０５における判定の結果、絞り開放実行指示があった場合には、絞り開放動作の実行を行う（Ｓ１１５）。ここでは、レンズＣＰＵ１１１は絞り駆動機構１０９に対して、開放絞り値まで開放動作を実行させる。絞り開放動作が終わると、ボディＣＰＵ２２９に対して、開放完了信号を送信する。
【００９４】
ステップＳ１０５における判定の結果、絞り開放実行指示を受けていなかった場合には、次に、レンズ駆動実行指示を受けているか否かの判定を行う（Ｓ１０７）。ボディＣＰＵ２２９は、自動焦点検出のためのコントラストＡＦにおいて、駆動方向と駆動量の情報と共にレンズ駆動実行指示を行う。
【００９５】
ステップＳ１０７における判定の結果、レンズ駆動実行指示があった場合には、レンズ駆動を実行する（Ｓ１１７）。ここでは、レンズＣＰＵ１１１は、光学系駆動機構１０７に対して、受信した駆動方向と駆動量で撮影光学系１０１の駆動を指示する。駆動が完了すると、ボディＣＰＵ２２９に対して、レンズ駆動完了信号を送信する。
【００９６】
ステップＳ１１１、Ｓ１１３、Ｓ１１５、Ｓ１１７において各動作を実行すると、ステップＳ１０１に戻る。
【００９７】
ステップＳ１０７における判定の結果、レンズ駆動実行指示がなかった場合には、次に、カメラ本体が手動焦点調節を行うマニュアルフォーカス（ＭＦ）モードに設定されているか否かの判定を行う（Ｓ１０９）。ここでは、カメラ本体１００と通信を行い、ＭＦモードが設定しているか否かの情報を取得し判定する。
【００９８】
ステップＳ１０９における判定の結果、ＭＦモードに設定されていた場合は、フォーカスリング（距離環）１１２の操作がなされたか否かを検出する（Ｓ１２１）。レンズＣＰＵ１１１は、フォトインタラプタ１１４の出力信号に基づいて、フォーカスリング１１３の操作状態を検知し判定する。
【００９９】
ステップＳ１２１における判定の結果、フォーカスリング１１３の操作がなされた場合には、ボディＣＰＵ２２９に対して通信要求を行う（Ｓ１２３）。ここでの通信要求は、スリープモードの際には割り込み信号である。前述したように、カメラがスリープモードに入っている場合に、フォーカスリング１１３がなされた場合には、レンズＣＰＵ１１１はカメラ本体２００の通信回路２４１に対して割り込み信号を送信する。また、通常の動作時には、ボディＣＰＵ２２９とフォーカスリング１１３の動きに応じた情報をやり取りするための通信要求である。
【０１００】
ボディＣＰＵ２２９に対して通信要求（割り込み信号の送信）を行うと、次に、フォーカスリング１１３の操作に応じたレンズ駆動を行う（Ｓ１２５）。このステップでは、フォーカスリング１１３の操作方向と操作量を検出し、この検出結果に応じてレンズ駆動を実行する。
【０１０１】
レンズ駆動を行うと、次に、フォーカスリング操作中の情報をカメラ本体に送信する（Ｓ１２７）。このステップにおいて、カメラ本体との通信によってフォーカスリング操作中の情報を送信する際に、たとえばフォーカスレンズの位置情報等をカメラ本体に送信するようにしてもよい。フォーカスリング操作中の情報を送信すると、ステップＳ１２１に戻る。
【０１０２】
このように、ステップＳ１２１〜Ｓ１２７の処理ループにより、フォーカスリングの操作に応じてフォーカスレンズを駆動してマニュアルフォーカス動作を行う。また、スリープモードに入っている際に、フォーカスリング１１３が操作された場合には、割り込み信号を送信し、本体側はスリープモードを解除する。なお、本実施形態においては、ステップＳ１２７を実行すると、ステップＳ１２１に戻るようにしているが、これに限らず、ステップＳ１０１に戻るようにしてもよい。この場合には、マニュアルフォーカス動作中に、レリーズ釦が全押しされた場合に迅速にレリーズ動作を実行することができる。
【０１０３】
ステップＳ１２１における判定の結果、フォーカスリング１１３が操作されていなかった場合、またはステップＳ１０９における判定の結果、ＭＦモードでなかった場合には、次に、ズームリング１１２が操作されたか否かを判定する（Ｓ１３１）。レンズＣＰＵ１１１は、ズームエンコーダ１１０の出力信号に基づいて、ズームリング１１２の操作状態を検知し判定する。
【０１０４】
ステップＳ１３１における判定の結果、ズームリング１１２が操作されていない場合には、次に、沈胴領域から撮影域への操作が有るか否かを判定する（Ｓ１３３）。前述したように、レンズ鏡筒１００が沈胴領域にある場合にズームリング１１２を回動すると、沈胴領域から撮影域に移動させることができる。このステップでは、ズームエンコーダ１１０の値に基づいて、沈胴領域から撮影域への操作があったか否かを判定する。
【０１０５】
ステップＳ１３３における判定の結果、沈胴領域から撮影域へ操作があった場合、またはステップＳ１３１における判定の結果、ズームリング１１２の操作があった場合には、次に、ステップＳ１２３と同様に、ボディＣＰＵ２２９に通信要求を行う（Ｓ１３５）。ここでの通信要求は、スリープモードの際には割り込み信号である。前述したように、カメラがスリープモードに入っている場合に、ズームリング１１２が操作された場合には、レンズＣＰＵ１１１はカメラ本体２００の通信回路２４１に対して割り込み信号を送信する。また、通常の動作時には、ボディＣＰＵ２２９とズーム情報やズーム環操作中情報等をやり取りするための通常の通信要求である。
【０１０６】
ボディＣＰＵ２２９に通信要求を行うと、次に、エンコーダ１１０の値を読み込む（Ｓ１３７）、ズームリング１１２の操作中の情報をボディＣＰＵ２２９に対して送信する（Ｓ１３９）。ズーム操作中の情報を送信すると、またはステップＳ１３３における判定の結果、沈胴から撮影域への操作がなかった場合には、ステップＳ１０１に戻る。
【０１０７】
以上、説明したように、本発明の第２実施形態においては、レンズ鏡筒１００に備えられたズームリング１１２やフォーカスリング１１３等の操作部材の操作を検出すると割り込み信号を発生し（Ｓ１２３、Ｓ１３５）、この割り込み信号を検出後に、加速度センサ２１７の信号を検出すると（Ｓ７）、カメラを動作状態にしている。このため、迅速に起動することの可能なカメラを提供することができる。従来のカメラでは、カメラを動作状態にするためには、パワースイッチをオンにする必要があった。しかし、本実施形態においては、レンズ鏡筒のズームリング１１２等の操作部材を操作し、カメラを構える等によりカメラを動かすと、カメラが動作状態になる。これにより、パワースイッチのオンと同様の動作状態にすることができる。
【０１０８】
以上説明したように、本発明の各実施形態においては、レンズ鏡筒の操作部材の操作状態と、カメラに加えられた動きに基づいて、パワーオンスイッチがオンとしなくても、カメラを動作状態としている。比較的レンズ鏡筒が重い場合には、レンズ鏡筒を左手で支えるのが一般的であり、このときレンズ鏡筒の操作部材を操作することにより、パワーオンスイッチがオンとなっていなくても、カメラは動作状態となる。このため、迅速にカメラを動作状態とすることができる。
【０１０９】
なお、本発明の各実施形態においては、カメラの動きは加速度センサを用いて検出していたが、これに限らず、ジャイロ、角速度センサ等、他のセンサによって動きを検出してもよい。また、専用のセンサを設けなくても、手振れ検知用のセンサを兼用するようにしてもよい。また、本発明の各実施形態においては、レンズ鏡筒１００は交換レンズであった。しかし、これに限らず、レンズ鏡筒はカメラ本体に固定されていても勿論かまわない。
【０１１０】
また、本発明の各実施形態においては、レンズ鏡筒１００にズームリング１１２およびフォーカスリング１１３の両方を設けていたが、一方のみでもよい。また、ズームリング１１２によって、沈胴領域から撮影域に撮影光学系１０１を移動させていたが、非沈胴式のレンズであっても勿論かまわない。また、操作部材は、レンズ鏡筒１００に設けられていたが、カメラ本体２００に設けられたズームスイッチ等、他の操作部材でもよい。
【０１１１】
また、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１１２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１１３】
２６・・・背面液晶モニタ、２９・・・ファインダ内液晶モニタ、１００・・・レンズ鏡筒、１０１・・・撮影光学系、１０１ａ・・・撮影レンズ、１０１ｂ・・・撮影レンズ、１０３・・・絞り、１０５・・・光学位置検出機構、１０７・・・光学系駆動機構、１０９・・・絞り駆動機構、１１０・・・エンコーダ、１１１・・・レンズＣＰＵ、１１２・・・ズームリング、１１３・・・フォーカスリング、１１４・・・フォトインタラプタ（ＰＩ）、２００・・・カメラ本体、２０３・・・シャッタ、２０５・・・防塵フィルタ、２０７・・・圧電素子、２０９・・・赤外カットフィルタ、２１０・・・光学的ローパスフィルタ、２１１・・・防塵フィルタ駆動回路、２１３・・・シャッタ駆動機構、２１７・・・加速度センサ、２２１・・・撮像素子、２２３・・・撮像素子駆動回路、２２５・・・前処理回路、２２６・・・コントラストＡＦ回路、２２７・・・画像処理回路、２２９・・・ボディＣＰＵ、２３１・・・圧縮伸張回路、２３３・・・ビデオ信号出力回路、２３５・・・液晶モニタ駆動回路、２３７・・・ＳＤＲＡＭ制御回路、２３８・・・ＳＤＲＡＭ、２３９・・・入出力回路、２４１・・・通信回路、２４３・・・記録媒体制御回路、２４５・・・記録媒体、２４７・・・フラッシュメモリ制御回路、２４９・・・フラッシュメモリ、２５３・・・スイッチ検知回路、２５５・・・その他のスイッチ、２５７・・・パワースイッチ、２５９・・・着脱検知スイッチ、２６０・・・ブレ補正駆動機構、２６２・・・ＡＳＩＣ、２９６・・・アクチュエータ駆動回路、２９７・・・ブレ検出手段、２９７ａ・・・角速度センサ、２９７ｂ・・・角速度検出回路、２９０・・・撮像素子ユニット、
３００・・・通信接点
【図１】
2012182700.tif 000003
【図２】
2012182700.tif 000004
【図３】
2012182700.tif 000005
【図４】
2012182700.tif 000006
【図５】
2012182700.tif 000007